(57)【特許請求の範囲】
【請求項１】
縦方向及びそれに交差する横方向と、肌対向面及びその反対側の非肌対向面とを有し、吸液性コアを有するパッド本体を含む男性用の吸収パッドであって、
前記パッド本体は、前記肌対向面側において、前記縦方向において互いに対向する一対のカバーシートに被覆された第１及び第２端域と、前記第１端域と前記第２端域との間に位置する中間域と、前記横方向において互いに対向する一対のバリアカフシートに被覆された両側域と、前記中間域において前記カバーシートと前記バリアカフシートとによって囲まれた、外部に露出する露出域とを有し、
前記パッド本体のうちの前記露出域においてのみ、前記肌対向面側から前記非肌対向面側へ凹となる複数の変形誘導部が配置された変形誘導域が形成されており、
前記変形誘導域の前記縦方向の寸法は、前記パッド本体の前記縦方向の寸法の１０．０〜６０．０％、前記変形誘導域の前記横方向の寸法は前記パッド本体の前記横方向の寸法の１５．０〜４５．０％の大きさであって、
前記複数の変形誘導部のうちから任意に選択した第１の変形誘導部は、第２及び第３の変形誘導部に対して前記縦方向に並んで配置され、第４及び第５の変形誘導部に対して前記横方向に並んで配置され、第６及び第７の変形誘導部に対して前記縦方向と前記横方向とに交差する傾斜方向に並んで配置されており、
前記変形誘導部は、前記変形誘導域が互いに異なる複数の方向へ変形可能な形状を有することを特徴とする前記吸収パッド。
【請求項２】
前記パッド本体は、前記肌対向面側に位置する透液性の身体側ライナと、非肌対向面側に位置する不透液性の裏面シートと、前記バリアカフシートに前記縦方向へ収縮可能に取り付けられたカフ弾性体とをさらに有し、
前記身体側ライナと、前記裏面シートと、前記バリアカフシートとは、前記パッド本体の外周縁に沿うシールラインによって接合されており、前記カフ弾性体の少なくとも一方の端部の存在域において、前記シールラインによる接合がなされていない非接合部が位置する請求項１に記載の吸収パッド。
【請求項３】
前記パッド本体は、厚さ方向の寸法が３．０ｍｍ以下である請求項１又は２に記載の吸収パッド。
【請求項４】
前記変形誘導部は、前記縦方向へ延びる第１ラインと、前記横方向へ延びる第２ラインとが交差してなる十字状である請求項１〜３のいずれかに記載の吸収パッド。
【請求項５】
前記変形誘導域において、前記変形誘導部の単位面積当たりの数が前記縦方向の外側で疎になる請求項１〜４のいずれかに記載の吸収パッド。
【請求項６】
前記パッド本体は、前記非肌対向面側に位置する粘着性の止着部をさらに有し、
前記止着部は、前記変形誘導域よりも前記縦方向の外側へ延びる請求項１〜５のいずれかに記載の吸収パッド。
【発明の詳細な説明】
【技術分野】
【０００１】
本発明は、男性用の吸収パッドに関する。
【背景技術】
【０００２】
従来、縦方向及びそれに交差する横方向と、肌対向面及びその反対側の非肌対向面とを有し、吸液性コアを有するパッド本体を含む男性用の吸収パッドは公知である。例えば、特許文献１には、縦方向において互いに離隔対向する第１端域及び第２端域と、第１及び第２端域間に位置する中間域とを有するパッド本体を備える吸収パッドが開示されている。
【０００３】
この吸収パッドは、縦軸と交差して斜めに延びる第１溝と、縦軸と交差し、かつ、第１溝と交差する方向へ延びる第２軸とを有する折曲誘導溝を備えている。
【先行技術文献】
【特許文献】
【０００４】
【特許文献１】特許第５４３３８１５号公報
【発明の概要】
【発明が解決しようとする課題】
【０００５】
特許文献１に開示された吸収パッドでは、縦軸と交差して斜めに延びる第１及び第２溝に沿って吸収パッドが変形する。よって、この吸収パッドは、一定のカップ形状に変形するため、着用者の姿勢が変化したときであっても、一定のカップ形状を維持し、これによって着用するとき及び着用中に着用者が違和感を覚えるおそれがあるとともに、着用中に吸収パッドを装着していることが外部からわかるおそれがあった。また、下着等の着衣をずらした状態では、吸収パッドによって下着に皺が形成されやすい課題があった。さらに、男性用の吸収パッドは、女性用のように下着の股間部に合わせて装着するものではなく、身体の前側に偏って装着するため、位置あわせが容易ではない課題があった。
【０００６】
本発明は、従来の吸収パッドの改良であって、着衣に皺が形成されにくく、位置あわせが容易であって、着用者の姿勢に応じて変形するとともに、外部から目立ちにくい吸収パッドの提供を課題にしている。
【課題を解決するための手段】
【０００７】
本発明は、縦方向及びそれに交差する横方向と、肌対向面及びその反対側の非肌対向面とを有し、吸液性コアを有するパッド本体を含む男性用の吸収パッドを前提とする。
【０００８】
本発明に係る吸収パッドの特徴は、前記パッド本体は、前記肌対向面側において、前記縦方向において互いに対向する一対のカバーシートに被覆された第１及び第２端域と、前記第１端域と前記第２端域との間に位置する中間域と、前記横方向において互いに対向する一対のバリアカフシートに被覆された両側域と、前記中間域において前記カバーシートと前記バリアカフシートとによって囲まれた、外部に露出する露出域とを有し、前記パッド本体のうちの前記露出域においてのみ、前記肌対向面側から前記非肌対向面側へ凹となる複数の変形誘導部が配置された変形誘導域が形成されており、前記変形誘導域の前記縦方向の寸法は、前記パッド本体の前記縦方向の寸法の１０．０〜６０．０％、前記変形誘導域の前記横方向の寸法は前記パッド本体の前記横方向の寸法の１５．０〜４５．０％の大きさであって、前記複数の変形誘導部のうちから任意に選択した第１の変形誘導部は、第２及び第３の変形誘導部に対して前記縦方向に並んで配置され、第４及び第５の変形誘導部に対して前記横方向に並んで配置され、第６及び第７の変形誘導部に対して前記縦方向と前記横方向とに交差する傾斜方向に並んで配置されており、前記変形誘導部は、前記変形誘導域が互いに異なる複数の方向へ変形可能な形状を有することである。
【００１０】
請求項２に係る吸収パッドの前記パッド本体は、前記パッド本体は、前記肌対向面側に位置する透液性の身体側ライナと、非肌対向面側に位置する不透液性の裏面シートと、前記バリアカフシートに前記縦方向へ収縮可能に取り付けられたカフ弾性体とをさらに有し、前記身体側ライナと、前記裏面シートと、前記バリアカフシートとは、前記パッド本体の外周縁に沿うシールラインによって接合されており、前記カフ弾性体の少なくとも一方の端部の存在域において、前記シールラインによる接合がなされていない非接合部が位置する。上記吸収パッドによれば、カフ弾性体の両端部では剛性が高くなるため、該部分においては、身体に沿った湾曲した形状に成り難いところ、非接合部とすることで剛性を低くして、パッド全体を身体に沿った湾曲した形状に変形させることができ、ブリーフなどの身体に密着しやすい着衣に装着しても、不自然な変形や皺が外部から目立ちにくい。
【００１１】
請求項３に係る吸収パッドの前記パッド本体は、厚さ方向の寸法が３．０ｍｍ以下である。上記吸収パッドによれば、比較的に薄いため、折曲したときによりコンンパクトになる。また、着用中においても、外部から目立たない。
【００１２】
請求項４に係る吸収パッドの前記変形誘導部は、前記縦方向へ延びる第１ラインと、前記横方向へ延びる第２ラインとが交差してなる十字状である。上記吸収パッドによれば、縦方向及び横方向のそれぞれにおいて、変形誘導部の間の周辺部位に力が集中して加わり、これによって、変形誘導域が縦方向及び横方向に沿って容易に変形する。
【００１４】
請求項５に係る吸収パッドは、前記変形誘導域において、前記変形誘導部の単位面積当たりの数が前記縦方向の外側で疎になる。上記吸収パッドによれば、吸収パッドは、変形誘導部が存在する存在域と、変形誘導部が存在しない非存在域との境界で急に折れ曲がることなく、緩やかに湾曲する。
【００１６】
請求項６に係る吸収パッドの前記パッド本体は、前記非肌対向面側に位置する粘着性の止着部をさらに有し、前記止着部は、前記変形誘導域よりも前記縦方向の外側へ延びる。上記吸収パッドによれば、変形誘導域の縦方向の外側において、止着部が着衣に貼りつくため、変形誘導部の外側まで着衣と一体となる。よって、変形誘導部が存在する存在域と、変形誘導部が存在しない非存在域との境界で、吸収パッドが急に折れ曲がることを抑えることができる。
【発明の効果】
【００１７】
本発明に係る吸収パッドによれば、中間域においてのみ、複数の変形誘導部が、縦方向と横方向とに互いに間隔をあけて配置されているため、吸収パッドを着用するとき及び着用中において、着用者の姿勢等に応じて中間域が変形する。このため、着用するとき及び着用中に着用者が違和感を覚えるおそれがないとともに、着用中に吸収パッドを装着していることが外部からわかるおそれもない。また、下着等の着衣をずらした状態であっても、変形誘導部によって吸収パッドが変形するため、着衣に皺が形成されにくい。さらに、中間域においてのみ変形誘導部が配置されているため、着用するときに変形誘導部が目印となることによって位置あわせが容易である。
【図面の簡単な説明】
【００１８】
図面は、本発明の特定の実施の形態を示し、発明の不可欠な構成ばかりでなく、選択的及び好ましい実施の形態を含む。
【図１】本発明の第１実施形態に係る吸収パッドを正面側から視た斜視図。
【図２】非肌対向面側から視た、各カフ弾性体の最大伸長時（弾性材料の収縮作用によるギャザーがなくなる程度）まで縦方向及び横方向に伸展した吸収パッドの一部破断平面図。
【図３】吸収パッドの一部破断底面図。
【図４】図２のＩＶ−ＩＶ線に沿う断面図。
【図５】図１のＶ−Ｖ線に沿う断面図。
【図６】着用状態における吸収パッドの縦中心線に沿う断面図。
【図７】吸収パッドの一部を肌対向面側から視た部分拡大図。
【図８】図７における矢視ＶＩＩＩの部分拡大図。
【図９】吸収パッドの第１端域側の部分拡大図。
【図１０】吸収パッドの第２端域側の部分拡大図。
【図１１】カフ弾性要素の収縮力が作用している吸収パッドの縦中心線に沿う断面図。
【図１２】第２実施形態に係る吸収パッドの図７と同様の部分拡大図。
【図１３】第３実施形態に係る吸収パッドの図７と同様の部分拡大図。
【図１４】第４実施形態に係る吸収パッドの図７と同様の部分拡大図。
【発明を実施するための形態】
【００１９】
下記の実施の形態は、図１〜図１４に示す男性用の吸収パッドに関し、発明の不可欠な構成ばかりではなく、選択的及び好ましい構成を含む。
【００２０】
＜第１実施形態＞
図１〜図９は、本発明に係る吸収パッド１０の第１実施形態の一例を示す。なお、図１には、説明の便宜のため変形誘導部４０を省略してあり、図１〜図５には、後記のカフ弾性要素５３の収縮力が作用していない状態を示す。図１〜図４を参照すると、吸収パッド１０は、互いに交差する横方向Ｘと、縦方向Ｙと、厚さ方向Ｚと、肌対向面及びその反対側の非肌対向面と、縦方向Ｙに平行して吸収パッド１０の横方向Ｘの寸法を二等分する縦中心線Ｐと、横方向Ｘに平行して吸収パッド１０の縦方向Ｙの寸法を二等分する横中心線Ｑとを有する。吸収パッド１０は、縦中心線Ｐに関して対称に形成されるとともに、縦方向Ｙにおいて互いに対向する曲状の第１端縁１０ａ及び第２端縁１０ｂと、それらの間において縦方向Ｙへ延びる両側縁１０ｃ，１０ｄとによって画定される。
【００２１】
吸収パッド１０は、縦方向Ｙにおいて、第１端縁１０ａ側に位置する第１端域１１と、第２端縁１０ｂ側に位置する第２端域１２と、それらの間に位置する中間域１３とを有する。第２端縁１０ｂは、第１端縁１０ａよりも緩やかな曲状であって、横方向Ｘの寸法が大きく、第２端域１２は、第１端域１１よりも幅広である。吸収パッド１０は、第１端縁１０ａ側から第２端縁１０ｂ側へ向けて両側縁１０ｃ，１０ｄの間隔が徐々に広くなる、平面視が略三角形状である。吸収パッド１０は、かかる平面視形状のほかに、後記の本発明の効果を奏する限りにおいて、円形や矩形など各種公知の平面形状であってもよい。図６を参照すると、吸収パッド１０の第１端域１１は着用者の股下部（陰嚢４９の下方）に、中間域１３は陰茎４８に、第２端域１２は下腹部４７にそれぞれ当接される。また、吸収パッド１０は、図１及び図２に示すように、横方向Ｘにおいて、両側縁１０ｃ，１０ｄ側に位置する両側域１４と、両側域１４の間に位置する中央域１５とを有する。
【００２２】
吸収パッド１０は、その全体形態をなすパッド本体２０と、パッド本体２０の肌対向面における両側域１４に配置された一対のバリアカフシート５０と、パッド本体２０の第１及び第２端域１１，１２に配置され、バリアカフシート５０の肌対向面側に固定された一対のカバーシート６０とを含む。カバーシート６０は、第１端域１１において、バリアカフシート５０間に位置するパッド本体２０を被覆する第１カバーシート６１と、第２端域１２において、バリアカフシート５０間に位置するパッド本体２０を被覆する第２カバーシート６２とを有する。パッド本体２０と、バリアカフシート５０及びカバーシート６０とは、カフ弾性要素５３の両端部５３ａを除き、吸収パッド１０の外周縁に沿って延びる、熱溶着手段によって形成されたシール部１８（シールライン）によって互いに積層された状態で固定される。また、吸収パッド１０は、図３に示すように、パッド本体２０の吸液性コア２３の外周縁から延出する両シート５０，６０をシール部１８によって互いに接合することによって形成された、吸液性コア２３の両側縁２３ｃの横方向Ｘの外側において縦方向Ｙへ延びるサイドフラップと、吸液性コア２３の両端縁２３ａ，２３ｂの縦方向Ｙの外側において横方向Ｘへ延びるエンドフラップとを有する。
【００２３】
＜パッド本体＞
パッド本体２０は、図２に示すように、肌対向面側に位置する身体側ライナ２１と、非肌対向面側に位置する裏面シート２２と、身体側ライナ２１と裏面シート２２との間に位置する吸液性コア２３とを含む。また、身体側ライナ２１と吸液性コア２３との間には、オプションとして、クッションシート２４が配置される。
【００２４】
身体側ライナ２１及びクッションシート２４は、透液性を有する繊維不織布から形成されている。裏面シート２２は、難透液性又は不透液性の繊維不織布、通気性プラスチックフィルム又はそれらのラミネートシートから形成されている。
【００２５】
吸液性コア２３は、パッド本体２０とほぼ同形に賦型されたものであって、木材フラッフパルプ、吸収性ポリマー粒子（ＳＡＰ）、オプションとして熱可塑性繊維を含む混合物から形成された吸収性の芯材と、芯材を包被するティッシュペーパ等の液拡散性シートとを含む。液拡散性シートには、水に可溶な水溶性抗菌剤を塗布したものを使用することができる。このような液拡散性シートを使用したときには、尿等の体液が液拡散性シートに接することで抗菌効果が得られるとともに、抗菌剤が着色されたものであれば、身体側ライナ２１側から着色された液拡散シートが明確に視認され、変形誘導部４０を形成した部分は、変形誘導部４０を形成していない部分よりも色が濃く見えるため、位置あわせの目印とすることができる。抗菌剤としては、例えば、塩化セチルピリジニウム（ＣＰＣ）、塩化ベンザルコニウム等が挙げられる。
【００２６】
パッド本体２０の縦方向Ｙの寸法Ｌ１は約１６０〜３００ｍｍであり、横方向Ｘの寸法Ｗ１は約１２０〜３００ｍｍであり、図５に示す、変形誘導部４０から外れた周辺部位４６の厚さ方向Ｚの寸法Ｒ１は約３．０ｍｍ以下であり、変形誘導部４０の厚さ方向Ｚの寸法Ｒ２は約０．３ｍｍ以下である。これらのような寸法Ｒ１，Ｒ２の差をつけた場合には、両者の剛性の相違によって、変形誘導域４３を底とし、周辺部位４６を側壁とするカップ形状が明確になる。
【００２７】
図３を参照すると、吸収パッド１０の裏面側、すなわち、裏面シート２２の非肌対向面側には、下着等の着衣に吸収パッド１０を取り付けるための、感圧性接着剤から形成された、縦方向Ｙへ延伸びる複数条の止着部３０を配置してある。止着部３０は、横中心線Ｑと交差して第１端域１１から第２端域１２へ延びる中央止着部３１と、第２端域１２側において中央止着部３１の横方向Ｘの両側に位置するサイド止着部３２とを有する。中央止着部３１及びサイド止着部３２は、プラスチック製又は繊維不織布のセパレータ３３で被覆される。
【００２８】
＜変形誘導部＞
図２及び図７を参照すると、パッド本体２０は、縦方向Ｙにおいて、中間域１３においてのみ複数の変形誘導部４０が、縦方向Ｙと横方向Ｘとにおいて互いに間隔をあけて配置されている。また、言い方を変えると、パッド本体２０は、横方向Ｘにおいて、中央域１５においてのみ複数の変形誘導部４０が配置されている。複数の変形誘導部４０によって、パッド本体２０が容易に変形する変形誘導域４３が画定される。この実施形態では、バリアカフシート５０及びカバーシート６０が存在しない個所に変形誘導域４３を配置してあり、バリアカフシート５０及びカバーシート６０が存在する個所に変形誘導部４０が存在しない非存在域４４が配置される。すなわち、パッド本体２０は、縦方向Ｙ及び横方向Ｘにおいて、変形誘導域４３の外側に非存在域４４を有している。
【００２９】
この実施形態では、変形誘導域４３の縦方向Ｙの最も外側には、５つの変形誘導部４０を横方向Ｘへ間隔をあけて配置してあり、その内側には、４つの変形誘導部４０を横方向Ｘへ間隔をあけて配置してある。それらの内側には、横方向に５つの変形誘導部４０と、４つの変形誘導部４０とを縦方向Ｙへ交互に配置してある。また、縦中心線Ｐと横中心線Ｑとが交差する中心Ｏの近位部３９において、複数の変形誘導部４０から任意に選択した１つの変形誘導部４０ａは、別の２つの変形誘導部４０ｂ，４０ｃに対して縦方向Ｙに並んで配置され、別の２つの変形誘導部４０ｄ，４０ｅに対して横方向Ｘに並んで配置され、別の２つの変形誘導部４０ｆ，４０ｇ（４０ｈ，４０ｉ）に対して、縦方向Ｙ及び横方向Ｘに対して傾斜する方向（以下、単に「傾斜方向」と省略する）に並んでそれぞれ配置されている。縦方向Ｙへ並んだ変形誘導部４０の離隔寸法は、約５〜５０ｍｍが好ましく、横方向Ｘへ並んだ変形誘導部４０の離隔寸法は、約５〜３０ｍｍが好ましく、傾斜方向へ並んだ変形誘導部４０の離隔寸法は、約７〜６０ｍｍが好ましい。また、吸収パッド１０の縦方向Ｙの寸法Ｌ１に対する、変形誘導域４３の縦方向Ｙの寸法Ｌ２の割合は、約２０．０〜６０．０％であり、吸収パッド１０の横方向Ｘの寸法Ｗ１に対する、変形誘導域４３の横方向Ｘの寸法Ｗ２の割合は、約１５．０〜４５．０％である。
【００３０】
各変形誘導部４０は、図８に示すように、縦方向Ｙへ延びる第１ライン４１と、横方向Ｘへ延びる第２ライン４２とが交差してなる十字状である。また、変形誘導域４３は、図５に示すように、その縦方向Ｙの寸法Ｌ２よりも、中央止着部３１の縦方向Ｙの寸法Ｌ３が大きい。
【００３１】
変形誘導部４０は、例えば、ピンエンボス（またはピンデボス）加工によって形成され、より詳細には、ボス（ピン）で身体側ライナ２１から、裏面シート２２へ向かって加圧することによって、身体側ライナ２１、裏面シート２２、吸液性コア２３及びクッションシート２４に形成される。そのため、各変形誘導部４０は、変形誘導部４０から外れた周辺部位４６の厚さ方向Ｚの寸法Ｒ１と比較し、厚さ方向Ｚの寸法Ｒ２が小さくて剛性が高い。
【００３２】
＜バリアカフシート＞
バリアカフシート５０は、図１及び図２に示すように、縦方向Ｙへ延び、第２端縁１０ｂから第１端縁１０ａへ向かって次第に先細りとなる形状であって、難透液性又は不透液性の繊維不織布から形成することができる。バリアカフシート５０は、パッド本体２０に固定され、両側縁１０ｃ，１０ｄに沿って延びる近位縁部５７と、第１及び第２端域１１，１２においてパッド本体２０に固定された固定両端部５８と、固定両端部５８の間において縦方向Ｙへ延びる、バリアカフシート５０の内側縁１０ｃ，１０ｄを内側へ折り返すことによって形成されたスリーブ状の自由縁部５２（遠位縁部）とを有する。近位縁部５７は、シール部１８の一部であり、カフ弾性要素５３の両端部５３ａを除いた固定両端部５８も、シール部１８の一部である。換言すれば、バリアカフシート５０は、自由縁部５２と、カフ弾性要素５３の両端部５３ａとを除くその外周全体がシール部１８を介してパッド本体２０に固定されている。
【００３３】
バリアカフシート５０の自由縁部５２には、縦方向Ｙへ延びるストリング状又はストランド状のカフ弾性要素５３が伸長状態で収縮可能に固定され、パッド本体２０の両側域１４には、縦方向Ｙへ伸縮可能な収縮域（サイド弾性部）５４が形成される。カフ弾性要素５３は、横方向Ｘの一方に、３．０〜１５．０ｍｍの間隔で２本ずつ配置されている。自由縁部５２は、着用状態において、カフ弾性要素５３の収縮作用によって身体側ライナ２１の肌対向面から離れ、尿等の排泄物の横漏れを防止するための一対のバリアカフ（立体カフ）が形成される。カフ弾性要素５３には、例えば、太さ（径）が約３１０〜１２４０ｄｔｅｘであって、収縮又は弛緩された状態から約１．２〜２．０倍に伸長された状態で固定された弾性材料を用いることができる。
【００３４】
バリアカフシート５０は、カフ弾性要素５３が伸長状態で配置された収縮域５４と、カフ弾性要素５３が実質的に非弾性化された状態で配置された非収縮域５５とを有する（図２、図９及び図１０を参照）。バリアカフシート５０は、第１及び第２カバーシート６１，６２の一部と互いに重なっており、その重なった部分においてカバーシート６０に固定されている。吸収パッド１０の着用状態では、自由縁部５２の収縮域５４が収縮することによって、実質的にバリアカフが起立する。ここで、非収縮域５５に関して「実質的に非弾性化された」とは、カフ弾性要素５３が該領域に存在するが、収縮性を全く発現しない状態と、僅かに収縮性を発現する状態とを含む。
【００３５】
カフ弾性要素５３の両端部５３ａは、図９及び図１０に示すように、カフ弾性要素５３の両端部５３ａの存在域において、シール部１８による接合がなされていない非接合部５３ｂが位置する。非接合部５３ｂの横方向Ｘの寸法Ｗ３は、１．０〜１０．０ｍｍである。
【００３６】
＜カバーシート＞
第１及び第２カバーシート６２は、非弾性のシート材料から形成されており、例えば、難透液性又は不透液性の繊維不織布、通気性のプラスチックフィルム又はそれらのラミネートシートから形成することができる。第１及び第２カバーシート６２は、それぞれ、バリアカフシート５０の内側縁部５０ａの間において横方向Ｘへ延びる内側縁部６１ａ，６２ａを有する。
【００３７】
第１及び第２カバーシート６１，６２のそれぞれは、図９及び図１０に示すように、縦方向Ｙの両端であって、横方向Ｘの中央において、身体側ライナ２１に固定された中央固定部６８，６９と、縦方向Ｙにおける中央固定部６８，６９の内側に位置する身体側ライナ２１に固定されていない非固定部６８ａ，６９ａとを有している。非固定部６８ａ，６９ａは、平面視において、吸液性コア２３と重なっている。
【００３８】
図１１を参照すると、吸収パッド１０を平坦な床や机等においた状態では、収縮域５４が収縮されて縦方向Ｙにおいて直状に延び、バリアカフシート５０が起立することによって第１及び第２カバーシート６１，６２の非固定部６８ａ，６９ａが身体側ライナ２１から離れ、第１及び第２カバーシート６１，６２と身体側ライナ２１との間には、排泄物を貯留するための第１空間部７２と第２空間部７３とがそれぞれ形成される。この状態では、パッド本体２０は、縦方向Ｙにおいて、平板状の変形誘導域４３と、直状に延びる非存在域４４と、変形誘導域４３と非存在域との間の変形域４５とによって、変形誘導域４３を底部とし、非存在域４４を側部としたカップ形状を呈する。パッド本体２０がかかる形態を呈することによって、第１空間部７２及び第２空間部７３は、内側縁部６１ａ，６２ａから第１及び第２端縁１０ａ，１０ｂに向かうに従って次第に厚さ方向Ｚの寸法が小さくなっている。
【００３９】
図２を参照すると、バリアカフシート５０の内側縁部５０ａと第１及び第２カバーシート６１，６２の内側縁部５０ａとによって、着用者の陰茎４８が挿入される挿入口６３が画定される。
【００４０】
図６を参照すると、着用者が吸収パッド１０を着用する際には、挿入口６３に陰茎４８を挿入する。陰嚢４９は、第１端域１１の上面に当接またはその上面から離れて位置する。パッド本体２０には、着用する際、及び着用状態において、中間域１３及び中央域１５における変形誘導域４３から形成された底部と、両側域１４並びに第１及び第２端域１１，１２における非存在域４４から形成された側部とによって画定された、陰茎４８を包み込むように収容しうる収容スペースＳが形成される。
【００４１】
着用中に排泄された排泄物は、主として、吸液性コア２３における変形誘導部４０と変形誘導部４０との間の周辺部分４６に吸収・保持されるとともに、吸液性コア２３の全体に拡散される。また、着用者の姿勢が変化したとき、変形誘導部４０の剛性が高く、変形誘導部４０から外れた周辺部位４６の剛性が低いため、それらの剛性の相違によって変形誘導部４０がパッド本体２０の変形の基点となり、変形誘導部４０と変形誘導部４０との間の周辺部位４６が折れ曲がる。
【００４２】
この吸収パッド１０によれば、変形誘導部４０が、縦方向Ｙ及び横方向Ｘにおいて間隔をあけて中間域１３及び中央域１５に配置されているため、変形誘導域４３の剛性が非存在域４４の剛性よりも高く、着用する前において変形誘導域４３が面形状（板状の形状）を維持しやすい。よって、中間域１３及び中央域１５を下着等の着衣にあてがいやすい。しかも、吸収性パッド１０を着用するときには、中央域１３及び中央域１５の変形誘導部４０を目印にすることができるため、陰茎４８を当接する部分がわかりやすく位置合わせが容易である。また、着用するとき及び着用後は、変形誘導部４０によって、着用者の姿勢に応じて中間域１３及び中央域１５が変形する。このため、着用者の姿勢が変化しても、違和感を覚えることがない。しかも、収縮域５４の間に複数の変形誘導部４０が位置することによって、パッド本体２０は、着用者の身体に沿った湾曲した形状に変形し易くなる。加えて、吸収パッド１０に排泄物が排泄されたとき、吸液性コア２３における変形誘導部４０と変形誘導部４０との間の周辺部位４６によって排泄物が保持されて該部分の厚さ方向Ｚの寸法が大きくなるが、該部分の周囲には変形誘導部４０が配置されているため、厚さ方向Ｚの寸法が必要以上に大きくなることを抑えることができ、外部から目立たない。また、特許文献１に開示された吸収パッド１０のように、連続して延びる溝部がパッド本体２０に形成されているときには、大きなギャザーがパッド本体２０にでき、この大きなギャザーによって排泄物が漏れるおそれがあるところ、この吸収パッド１０では、複数の変形誘導部４０を縦方向Ｙと横方向Ｘとに互いに間隔をあけて配置されているため、大きなギャザーが発生することを抑え、排泄物が漏れることを防止することができるとともに外部から目立たず、着衣に皺が形成されるのを抑えることができる。
【００４３】
また、この吸収パッド１０では、中心Ｏの近位部３９において、複数の変形誘導部４０から選択した１つの変形誘導部４０ａは、縦方向Ｙと、横方向Ｘと、傾斜方向とのそれぞれにおいて、別の２つの変形誘導部４０に並ぶ。より具体的には、縦方向Ｙへ並ぶ変形誘導部４０ａ，４０ｂ，４０ｃによって、端縁１０ａ，１０ｂが互いに近づくようにパッド本体２０に力が加えられたときには、縦方向Ｙに並んだ変形誘導部４０ａ，４０ｂの間の周辺部位４６、又は変形誘導部４０ａ，４０ｃの間の周辺部位４６等、縦方向Ｙへ並ぶ変形誘導部４０の間の周辺部位４６でパッド本体２０が変形し、変形誘導域４３が横方向Ｘに沿って容易に変形する。
【００４４】
また、横方向Ｘへ並ぶ変形誘導部４０ａ，４０ｄ，４０ｅによって、両側縁１０ｃが互いに近づくようにパッド本体２０に力が加えられたときには、横方向Ｘに並んだ変形誘導部４０ａ，４０ｄの間の周辺部位４６、又は変形誘導部４０ａ，４０ｄの間の周辺部位４６等、横方向Ｘへ並ぶ変形誘導部４０の間の周辺部位４６でパッド本体２０が変形し、変形誘導域４３が縦方向Ｙに沿って容易に変形する。
【００４５】
さらに、傾斜方向へ並ぶ変形誘導部４０ａ，４０ｆ，４０ｇ（４０ａ，４０ｈ，４０ｉ）によって、傾斜方向からパッド本体２０に力が加えられたときには、傾斜方向に並んだ変形誘導部４０ａ，４０ｆ（４０ａ，４０ｈ）の間の周辺部位４６、又は変形誘導部４０ａ，４０ｇ（４０ａ，４０ｉ）の間の周辺部位４６等、傾斜方向へ並ぶ変形誘導部４０の間の周辺部位４６でパッド本体２０が変形し、変形誘導域４３が傾斜方向に沿って容易に変形する。しかも、中間域１３及び中央域１５は、異なる４方向（縦方向Ｙ、横方向Ｘ、及び互いに直行する傾斜方向）へ容易に変形するので、着用者の姿勢が変化しても、その変化に応じて中間域１３及び中央域１５が容易に変形する。
【００４６】
また、この吸収パッド１０によれば、各変形誘導部４０は、縦方向Ｙへ延びる第１ライン４１と、横方向Ｘへ延びる第２ライン４２とが交差してなる十字状であるため、縦方向Ｙ及び横方向Ｘのそれぞれにおいて、変形誘導部４０の間の周辺部位４６に力が集中して加わり、これによって、変形誘導域４３が縦方向Ｙ及び横方向Ｘに沿って容易に変形する。一方、複数の変形誘導部が円形状であるときには、変形誘導部の間の周辺部位４６に力が分散して加わるため、十字状の変形誘導部４０に比して、それほど大きく変形しない。
【００４７】
さらに、この吸収パッド１０によれば、厚さ方向Ｚの寸法が３．０ｍｍ以下であるため、比較的に薄く、折曲したときによりコンパクトになる。また、着用中においても、外部から目立たない。また、着衣と一体化し、着衣の変形に沿って吸収パッド１０が変形する。
【００４８】
また、この吸収パッド１０によれば、中間域１３及び中央域１５の全域に変形誘導部４０を配置してあるため、収容スペースＳを画定する中間域１３及び中央域１５の全域が変形可能である。
【００４９】
さらに、この吸収パッド１０によれば、中央止着部３１は、変形誘導域４３よりも縦方向Ｙの外側へ延びるため、変形誘導域４３の外側におけるパッド本体２０が着衣と一体化して折れ曲がる。このため、下着に吸収パッド１０がなじむとともに、変形誘導部４０が存在する変形誘導域４３と、変形誘導部４０が存在しない非存在域４４との境界でパッド本体２０が急に折れ曲がることなく、緩やかに湾曲させることができる。
【００５０】
また、カフ弾性要素５３の両端部にシール部１８を位置させると、両端部の剛性が高くなるため、該部分においては、身体に沿った湾曲した形状に成り難いところ、本実施形態の吸収パッド１０によれば、カフ弾性要素５３の両端部５３ａを非接合部５３ｂとすることで剛性を低くして、パッド全体を身体に沿った湾曲した形状に変形させることができる。
【００５１】
＜第２実施形態＞
図１２を参照すると、本実施形態においては、複数の変形誘導部４０が配置された変形誘導域４３において、変形誘導部４０の単位面積当たりの数が縦方向Ｙの外側において疎となっている一方、中央において密となっている。より具体的に説明すると、本実施形態の吸収パッド１０の変形誘導域４３の面積と、第１実施形態の吸収パッド１０の変形誘導域４３の面積は同一であるが、縦方向Ｙにおいて、最も外側には、横方向Ｘに３つの変形誘導部４０ｊ（４０），４０ｋ（４０），４０ｌ（４０）のみが配置され、変形誘導域４３の縦方向Ｙの両端には低密度域４４ａが画定されている一方、それらの変形誘導部４０ｊ，４０ｋ，４０ｌの縦方向Ｙの内側には、第１実施形態の変形誘導域４３と同様の変形誘導部４０が配置され、高密度域４４ｂが画定されている。
【００５２】
この吸収パッド１０によれば、変形誘導部４０の単位面積当たりの数が縦方向Ｙの外側において疎となっている一方、中央において密となっているため、縦方向Ｙにおける剛性の相違を緩やかにすることができる。このため、変形誘導部４０が存在する変形誘導域４３と、変形誘導部４０が存在しない非存在域４４との境界でパッド本体２０が急に折れ曲がることなく、緩やかに湾曲させることができる。
【００５３】
＜第３実施形態＞
図１３を参照すると、本実施形態においては、パッド本体２０の縦方向Ｙの両端部で変形誘導部４０の数が少なくなるため、変形誘導域４３は、縦方向Ｙの外側に向かうにつれて次第に横方向Ｘの寸法が小さくなる。
【００５４】
この吸収パッド１０によれば、変形誘導部４０が存在する変形誘導域４３と、変形誘導部４０が存在しない非存在域４４との境界でパッド本体２０が急に折れ曲がることなく、緩やかに湾曲させることができる。
【００５５】
＜第４実施形態＞
図１４を参照すると、本実施形態においては、複数の変形誘導部４０のうち、１つの変形誘導部４０ｓ（４０）は、縦方向Ｙの中央に配置され、その変形誘導部４０の周囲に複数の変形誘導部４０が配置されている。より具体的に言うと、中央の変形誘導部４０ｓの近位部３９には、単位面積当たりの変形誘導部４０ｍの数が疎である低密度域４５ａが画定される一方、中央の変形誘導部４０ｓの遠位部３８には、単位面積当たりの変形誘導部４０ｎの数が密である高密度域４５ｂが画定されるように複数の変形誘導部４０を配置してある。
【００５６】
この吸収パッド１０によれば、中央の変形誘導部４０の近位部３９には、変形誘導部４０が疎となるように配置してあるため、変形し難い一方、中心の変形誘導部４０の遠位部には、変形誘導部４０が密となるように配置してあるため、容易に変形する。このため、変形誘導部４０ｓを中心とした近位部３９が底部となり、遠位部３８が側部となるカップ形状に容易に変形する。また、変形誘導部４０ｓに対して傾斜する方向に配置した変形誘導部４０ｍ，４０ｎは、第１及び第２ライン４１，４２が傾斜方向に沿って配置されるため、変形誘導域４３が傾斜方向に容易に変形する。
【００５７】
上記実施形態の吸収パッド１０を構成する部材には、特に明記されていない限りにおいて、本明細書に記載されている材料のほかに、この種の分野において通常用いられている公知の材料を制限なく用いることができる。また、本明細書において使用されている「第１」及び「第２」等の用語は、同様の要素、位置等を単に区別するために用いてある。
【００５８】
なお、上記実施形態における変形誘導部４０の数は一例であって、適宜、その数を増減させることができる。また、上記実施形態には、各変形誘導部４０として、縦方向Ｙへ延びる第１ライン４１と、横方向Ｘへ延びる第２ライン４２とが交差してなる十字状のものを説明した。しかし、この発明は、それに限られず、各変形誘導部４０が円形等、公知の形状でもよい。
【００５９】
さらに、上記実施形態には、変形誘導部４０をピンエンボス（またはピンデボス）加工によって形成し、変形誘導部４０から外れた周辺部位４６の剛性よりも、変形誘導部４０の剛性が高いものを説明した。しかし、この発明は、それに限られず、変形誘導部４０を、吸液性コア２３が存在しない非存在領域として形成し、又は変形誘導部４０における単位面積当たりの質量が、周辺部位４６の単位面積当たりの質量よりも小さくなるように形成し、周辺部位４６の剛性よりも変形誘導部４０の剛性が小さくてもよい。このような変形誘導部４０であるときの着用状態では、変形誘導域４３は、剛性の低い変形誘導部４０の第１ライン４１及び第２ライン４２に沿って変形する。
【００６０】
また、上記実施形態には、複数の変形誘導部４０は、任意の変形誘導部４０に対し、縦方向Ｙと、横方向Ｘと、傾斜方向とにそれぞれ間隔をあけて配置するものを説明した。しかし、この発明は、それに限られない。
【００６１】
さらに、上記実施形態には、カフ弾性要素５３の両端部５３ａにおいて、シール部１８による接合がなされていない非接合部５３ｂがそれぞれ位置するもので説明した。しかし、この発明はそれに限られず、少なくとも第２端域１２側のカフ弾性要素５３の端部５３ａのみにおいて、シール部１８による接合がなされていない非接合部５３ｂが位置すればよい。
【符号の説明】
【００６２】
１０    吸収パッド
１１    第１端域
１２    第２端域
１３    中間域
１４    両側域
１８    シール部（シールライン）
２０    パッド本体
２１    身体側ライナ
２２    裏面シート
２３    吸液性コア
３１    中央止着部
４０    変形誘導部
４１    第１ライン
４２    第２ライン
４３    変形誘導域
５０    バリアカフシート
５３    カフ弾性要素（カフ弾性体）
５３ｂ  非接合部
５４    収縮域（サイド弾性部）
Ｌ１    パッド本体の縦方向の寸法
Ｌ２    変形誘導域の縦方向の寸法
Ｌ３    中央止着部の縦方向の寸法
Ｐ      縦中心線
Ｒ１    変形誘導部の周辺部位の厚さ方向の寸法
Ｒ２    変形誘導部の厚さ方向の寸法
Ｗ１    パッド本体の横方向の寸法
Ｗ２    変形誘導域の横方向の寸法
Ｗ３    非接合部の横方向の寸法
Ｘ      横方向
Ｙ      縦方向
【要約】
【課題】着用者の姿勢に応じて変形する吸収パッドを提供する。
【解決手段】吸収パッド（１０）は、縦方向（Ｙ）及びそれに交差する横方向（Ｘ）と、肌対向面及びその反対側の非肌対向面とを有し、吸液性コア（２３）を有するパッド本体（２０）を含む男性用のものである。パッド本体（２０）は、縦方向（Ｙ）において互いに離隔対向する第１端域（１１）及び第２端域（１２）と、第１及び第２端域間に位置する中間域（１３）とを有する。吸収パッド（１０）は、中間域（１３）においてのみ、複数の変形誘導部（４０）が、縦方向（Ｙ）と横方向（Ｘ）とにおいて互いに間隔を空けて配置されている。パッド本体（２０）は、横方向（Ｘ）において互いに離隔対向する両側域（１４）をさらに有する。両側域（１４）は、縦方向（Ｙ）へ伸縮可能な収縮域（サイド弾性部）（５４）を有する。変形誘導部（４０）は、収縮域（５４）の間に位置している。
【選択図】図７【図１】
0005823076.tif 000002
【図２】
0005823076.tif 000003
【図３】
0005823076.tif 000004
【図４】
0005823076.tif 000005
【図５】
0005823076.tif 000006
【図６】
0005823076.tif 000007
【図７】
0005823076.tif 000008
【図８】
0005823076.tif 000009
【図９】
0005823076.tif 000010
【図１０】
0005823076.tif 000011
【図１１】
0005823076.tif 000012
【図１２】
0005823076.tif 000013
【図１３】
0005823076.tif 000014
【図１４】
0005823076.tif 000015